(57)【要約】【課題】雄端子金具のタブと相手の雌端子金具との接続を良好に行う。【解決手段】可動側コネクタ３０のコネクタハウジング３１には、雌端子金具２２と接触可能なタブ３３ａを有する雄端子金具３３が収容されるとともに、そのタブ３３ａを取り囲み且つ待ち受け側コネクタ２０のコネクタハウジング２１を内嵌可能なフード部３２が設けられ、さらにはレバー３８が回動可能に軸支されている。レバー３８の上端には、フレーム４６のカム溝４７に摺動可能に支持されるカムピン４０が設けられている。フード部３２内には、タブ３３ａを挿通してこれを位置決め可能な位置決め孔４２を備えたムービングプレート３５が上下に進退可能に装着されている。ムービングプレート３５には、相手のコネクタハウジング２１のカムピン２４と共にレバー３８のカム溝３９に係合可能なカムピン４４が設けられている。【選択図】  図４
2004214106.tif 000002
【特許請求の範囲】
【請求項１】
コネクタハウジングには、相手の雌端子金具と接触可能なタブを有する雄端子金具が収容可能とされるとともに、そのタブを取り囲み且つ相手のコネクタハウジングを内嵌可能なフード部が設けられ、さらには、レバーが回動可能に軸支されており、
このレバーのうち一端側には、相手のコネクタハウジングに設けられたカムピンを係合可能なカム溝が設けられるのに対し、他端側には、レバーの回動を許容すべく支持部材に設けられた支持部に摺動可能に支持される被支持部が設けられており、
両コネクタハウジングを嵌合するのに伴って、前記コネクタハウジングが支持部材に接近するよう変位するとともに被支持部が支持部に摺動することでレバーが回動し、それに伴ってカムピンがカム溝に係合することでカム作用が発揮されるものであって、
前記フード部内には、前記タブを挿通してこれを位置決めするための位置決め孔を備えたムービングプレートが嵌合方向に沿って進退可能に装着され、このムービングプレートには、前記カム溝に係合することで前記レバーの回動動作に連動してムービングプレートをフード部内にて進退させるためのカムピンが設けられていることを特徴とするレバー式コネクタ。
【請求項２】
前記レバーの回動軸は、前記コネクタハウジングにおけるレバーの装着面のうち、嵌合方向とほぼ直交する方向について中央からずれた位置に配されていることを特徴とする請求項１記載のレバー式コネクタ。
【発明の詳細な説明】
【０００１】
【発明の属する技術分野】
本発明は、レバー式コネクタに関する。
【０００２】
【従来の技術】
従来、レバーを備えたコネクタの一例として下記特許文献１に記載されたものが知られている。このものは、雌ハウジングの外側面にレバーが回動可能に軸支されるとともに、そのレバーを介して雌ハウジングが支持部材に支持されている。レバーのうち、一端側には、支持部材の支持溝に対して係合可能なピンが設けられるとともに、他端側には、相手の雄ハウジングにおけるフード部の内面に設けられたカムピンを係合可能なカム溝が形成されている。そして、両ハウジングを嵌合すると、両ハウジング間で発生する嵌合抵抗により、雌ハウジングが支持部材に接近するよう変位し、それに伴ってピンが支持溝内を変位するとともにレバーが回動する。レバーの回動に伴い、カムピンがカム溝に係合することで、雄ハウジングが雌ハウジングに引き込まれるようになっている。
【０００３】
【特許文献１】
特開２００１−６８２１２公報
【０００４】
【発明が解決しようとする課題】
ところで、雄ハウジング内には、雄端子金具が収容されており、この雄端子金具には、雌ハウジング内に収容された雌端子金具に対して接触可能なタブがフード部内に突き出した状態で設けられている。
しかしながら、例えば雄端子金具が雄ハウジング内にて傾いた場合には、その傾きが僅かであってもタブの先端が無視できないほど位置ずれすることになるため、雌端子金具との接続に支障を来すおそれがあった。
本発明は上記のような事情に基づいて完成されたものであって、雄端子金具のタブと相手の雌端子金具との接続を良好に行うことを目的とする。
【０００５】
【課題を解決するための手段】
上記の目的を達成するための手段として、請求項１の発明は、コネクタハウジングには、相手の雌端子金具と接触可能なタブを有する雄端子金具が収容可能とされるとともに、そのタブを取り囲み且つ相手のコネクタハウジングを内嵌可能なフード部が設けられ、さらには、レバーが回動可能に軸支されており、このレバーのうち一端側には、相手のコネクタハウジングに設けられたカムピンを係合可能なカム溝が設けられるのに対し、他端側には、レバーの回動を許容すべく支持部材に設けられた支持部に摺動可能に支持される被支持部が設けられており、両コネクタハウジングを嵌合するのに伴って、前記コネクタハウジングが支持部材に接近するよう変位するとともに被支持部が支持部に摺動することでレバーが回動し、それに伴ってカムピンがカム溝に係合することでカム作用が発揮されるものであって、前記フード部内には、前記タブを挿通してこれを位置決めするための位置決め孔を備えたムービングプレートが嵌合方向に沿って進退可能に装着され、このムービングプレートには、前記カム溝に係合することで前記レバーの回動動作に連動してムービングプレートをフード部内にて進退させるためのカムピンが設けられている構成としたところに特徴を有する。
【０００６】
請求項２の発明は、請求項１に記載のものにおいて、前記レバーの回動軸は、前記コネクタハウジングにおけるレバーの装着面のうち、嵌合方向とほぼ直交する方向について中央からずれた位置に配されているところに特徴を有する。
【０００７】
【発明の作用及び効果】
＜請求項１の発明＞
コネクタハウジング内に収容した雄端子金具のタブは、フード部内に装着されたムービングプレートの位置決め孔に挿通されることで位置決めされる。この状態で両コネクタハウジングを嵌合すると、コネクタハウジングが支持部材に接近するよう変位するとともに被支持部が支持部に摺動することでレバーが回動する。レバーが回動するのに伴い、相手のコネクタハウジングのカムピンとムービングプレートのカムピンがカム溝に係合することでカム作用が発揮される。これにより、相手のコネクタハウジングとムービングプレートがコネクタハウジングに引き込まれて、雄端子金具のタブが相手の雌端子金具に対して接触される。
【０００８】
このようにムービングプレートによりタブを予め位置決めするようにしたから、相手の雌端子金具との接続を良好に行うことができる。しかも、ムービングプレートがレバーの回動動作に連動してフード部内を進退するようにしたから、例えば両コネクタハウジングが嵌合した状態から離脱させる際に、レバーが嵌合時とは逆方向へ回動するのに伴ってムービングプレートを嵌合前の位置まで押し出すことができるので、再度嵌合作業を行うときにムービングプレートを位置合わせする必要がなく、作業性に優れる。
【０００９】
＜請求項２の発明＞
本発明によれば、例えばレバーの回動軸を、コネクタハウジングにおけるレバーの装着面のうち嵌合方向とほぼ直交する方向について中央位置に設定した場合と比較して、レバーの長さ寸法、すなわち回動軸から被支持部までの距離を大きく確保することが可能となる。これによりレバーを回動するのに必要な力、すなわち両コネクタハウジングを嵌合するのに必要な力を低減することができる。
【００１０】
【発明の実施の形態】
本発明の一実施形態を図１ないし図１１によって説明する。この実施形態は、自動車におけるインストルメントパネルなどのモジュールｍをボディｂに組み付けるのに伴い、モジュールｍ側に装着した可動側コネクタ３０をボディｂ側に装着した待ち受け側コネクタ２０に嵌合させるようにしたものであり、このうち可動側コネクタ３０にレバー３８が備えられている。なお、以下の説明において、前後方向については図４及び図６における右側を前側、左側を後側とし、左右方向については図３，図５及び図７を基準とし、さらに上下方向については図３を除く各図を基準とする。なお図１，図９〜図１１では、ボディｂ側のブラケット２５の図示を省略する。
【００１１】
モジュールｍは、図８に示すように、ガイド手段１０に案内されつつ概ね水平に前方へ移動しつつボディｂに組み付けられるようになっている。ガイド手段１０は、モジュールｍの左右両側面に設けた被ガイド部１１と、モジュールｍの図示しない組立ライン上に設けたガイドレール１２とからなる。ガイドレール１２は、水平方向（前後方向）に略直線状に延びる後部水平ガイド部１３と、この後部水平ガイド部１３の前端から斜め前上方へ延びる上り勾配の傾斜ガイド部１４と、この傾斜ガイド部１４の前端から略直線状に水平前方へ延びる前部水平ガイド部１５と、この前部水平ガイド部１５の前端から下方へ延出する下降ガイド部１６とから構成される。このガイドレール１２に被ガイド部１１を嵌めることにより、モジュールｍ及び可動側コネクタ３０がガイドレール１２に沿って概ね前方へ移動し得るようになっている。このモジュールｍの移動に際しては、作業者が手作業でモジュールｍを押し動かすようになっている。尚、モジュールｍは図示しないクレーンによって吊り下げ状態に支持されており、モジュールｍがボディｂに組み付けられるとともに可動側コネクタ３０が待受側コネクタに嵌合された後は、モジュールｍからクレーンが外されるようになっている。
【００１２】
待ち受け側コネクタ２０は、図１，図４及び図５に示すように、一般に雌側コネクタと称されるものであって、左右方向に長い（長手方向を左右に向けた）略ブロック状をなすコネクタハウジング２１と、コネクタハウジング２１内に下方から挿入される複数本の雌端子金具２２と、コネクタハウジング２１の下面（背面）側に組み付けられる電線カバー２３とから構成される。コネクタハウジング２１における前後の両外側面には、一対のカムピン２４が突設されている。各雌端子金具２２は、電線２２ａの端末に接続されており、この電線２２ａがコネクタハウジング２１の下面から下方へ導出されてから、電線カバー２３内において水平方向に沿うよう屈曲されつつ外部へ延出されている。
【００１３】
上記した待ち受け側コネクタ２０は、ボディｂ側に固定されたブラケット２５に装着されている。ブラケット２５の上端部には、左右に張り出す一対のガイドレール２６が設けられており、このガイドレール２６に対して電線カバー２３の下面から突設された被ガイド部２７が外嵌されている。これにより待ち受け側コネクタ２０は、ブラケット２５に対して前後方向に沿って摺動可能に支持されている。またガイドレール２６の後端側には、被ガイド部２７の後縁（後側係合部）に係合可能な後側規制部２６ａが設けられ、且つブラケット２５の上面に形成された溝部２８内には、電線カバー２３の下面から突設された前側係合部２９に係合可能な前側規制部２８ａが設けられることで、待ち受け側コネクタ２０の前後の摺動可能領域が規制されている。
【００１４】
可動側コネクタ３０は、図１ないし図５に示すように、一般に雄側コネクタと称されるものであって、前方へ開口する略角形のフード部３２を有するコネクタハウジング３１と、コネクタハウジング３１内に上方から挿入される複数本の雄端子金具３３と、コネクタハウジング３１の上面（背面）に組み付けられる電線カバー３４と、フード部３２内に組み付けられるとともに嵌合方向に沿って上下に移動可能とされるムービングプレート３５とから構成される。
【００１５】
各雄端子金具３３は、雌端子金具２２に対して導通接触可能なタブ３３ａを有しており、コネクタハウジング３１内に収容された状態では、タブ３３ａがフード部３２内に突き出していてフード部３２によって取り囲まれている。また各雄端子金具３３は、雌端子金具２２と同様に電線３３ｂの端末に接続されており、その電線３３ｂが電線カバー３４内にて水平方向に沿うよう屈曲されつつ外部へ延出されている。
【００１６】
フード部３２は、上部がムービングプレート３５を内嵌可能な略角筒状に形成されるのに対し、下部が下端（開口端）側に行くに従って開口面積を増加させるよう先広がりのテーパ状に形成されている。このフード部３２の下部における内周面は、上下方向（嵌合方向）に対して傾斜した案内面３６となっており、両コネクタ２０，３０の間で水平方向（前後方向及び左右方向、嵌合方向とほぼ直交する方向）へ位置ずれが生じた場合には、この案内面３６に対して待ち受け側コネクタ２０の上面周縁が摺接されることで、その案内面３６の傾斜により両コネクタ２０，３０の嵌合面同士が正対するよう案内可能となっている。
【００１７】
コネクタハウジング３１における前後両外側面には、一対のレバー３８を回動可能に軸支するための支持軸３７が一対突設されている。両支持軸３７は、それぞれコネクタハウジング３１の前側外側面と後側外側面（レバー３８の装着面）において、左右方向（嵌合方向とほぼ直交する方向）について中央から右側と左側にずれた位置に配されている。両レバー３８は、上下に細長い平板状をなす同一形状のものであり、互いに左右に反転した姿勢で装着され、且つ互いに逆向きに回動可能とされる（図２）。レバー３８のうち下端部には、下方及び前後に開口するカム溝３９が形成されるのに対し、上端部の前後外側面には、前後外側に突出するカムピン４０が形成されている。カム溝３９は、入り口側から奥側に行くに従って次第に支持軸３７に接近する弧状に形成されている。
【００１８】
ムービングプレート３５は、全体が下方に開口した略箱型をなし、その下方から待ち受け側コネクタ２０の前半部分が内嵌可能とされている。ムービングプレート３５のうち、フード部３２の奥面や待ち受け側コネクタ２０の上面と対向する上壁４１には、フード部３２内に突き出た各雄端子金具３３のタブ３３ａを挿通することで各タブ３３ａを水平方向について位置決め可能な位置決め孔４２が、各タブ３３ａに整合可能な位置に整列して配設されている。このムービングプレート３５は、その周壁４３がフード部３２の内周面に摺接されることで嵌合方向に沿って上下に進退可能とされている。そして、このムービングプレート３５における前後両外側縁からは、レバー３８のカム溝３９に係合可能な一対のカムピン４４が突設されている。従って、カムピン４４がカム溝３９に係合した状態でレバー３８が回動すると、それに連動してムービングプレート３５がフード部３２内を上下に変位可能とされている。このカムピン４４は、フード部３２において下方及び前後に開口する形態で形成された逃がし溝４５を通してフード部３２の外側面からさらに前後外方へ突出可能な長さを有している。このカムピン４４の内面側には、待ち受け側コネクタ２０のカムピン２４を嵌合可能な溝部４４ａが形成されている。従って、待ち受け側コネクタ２０のカムピン２４は、ムービングプレート３５のカムピン４４を介して間接的にカム溝３９に対して係合可能となっている。なお上記逃がし溝４５には、下方から待ち受け側コネクタ２０のカムピン２４が進入可能とされている。
【００１９】
上記した可動側コネクタ３０は、両レバー３８を介してフレーム４６に取り付けられる。フレーム４６は、コネクタハウジング３１を前後左右から取り囲む方形枠状をなしており、可動側コネクタ３０は、このフレーム４６に対して水平方向についてほぼ遊動不能に保持されるものの、上下方向には相対移動可能とされる。フレーム４６には、前後一対の弧状をなすカム溝４７が形成され、このカム溝４７には、レバー３８のカムピン４０が係合可能とされる。レバー３８のカムピン４０がフレーム４６のカム溝４７内を奥側へ向かって摺動するのに伴って、レバー３８が支持軸３７を中心に回動されるようになっている。そして、レバー３８の回動中心（支持軸３７）からカムピン４０までの距離は、レバー３８の回動中心からカム溝３９までの最大距離よりも大きく設定されているので、コネクタハウジング３１がフレーム４６に対して上下方向へ相対移動する際には、レバー３８のカムピン４０とフレーム４６のカム溝４７との係合によってレバー３８の回動中心回りに大きなモーメントが生じ、このモーメント力により、レバー３８のカム溝３９に係合されているムービングプレート３５のカムピン４４及び待ち受け側コネクタ２０のカムピン２４に対して上下方向の大きな押し引き力が付与されるようになっている。
【００２０】
なお、可動側コネクタ３０がフレーム４６に対して下方へ相対移動したときには、ムービングプレート３５及び待ち受け側コネクタ２０のカムピン４４，２４がレバー３８のカム溝３９の入り口に位置したところで、レバー３８のカムピン４０がフレーム４６のカム溝４７の縁部に引っ掛かり、これにより可動側コネクタ３０は、それ以上の下方への移動（抜け）が規制された状態に支持される。
【００２１】
上記した可動側コネクタ３０は、モジュールｍ側に固定されたブラケット４８に装着されている。ブラケット４８の下端部には、上下及び左方へ開口する開口部４９が形成され、その前後両側縁がガイドレール５０となっており、このガイドレール５０に対してフレーム４６の前後両外側面から一対ずつ設けられた被ガイド部５１が上下から挟むようにして嵌められている。これにより可動側コネクタ３０及びフレーム４６は、ブラケット４８に対して左右方向に沿って摺動可能に支持されている。またガイドレール５０には、図３に示すように、左方へ開口する切欠部５２が一対形成され、この切欠部５２の右側縁部が、電線カバー３４の前後両外側面に設けられた一対の右側係合部５３に係合可能な右側規制部５４とされている。一方、ブラケット４８の開口部４９における左側端部には、電線カバー３４の前後両外側面左端位置に設けられた一対の左側係合部５５が係合可能な片持ち状をなす左側規制部５６が一対設けられている。これにより、可動側コネクタ３０の左右方向の摺動可能領域が規制されている。
【００２２】
本実施形態は以上のような構造であり、続いてその作用について説明する。
先に待ち受け側コネクタ２０側の組み付け手順を説明すると、コネクタハウジング２１に雌端子金具２２と電線カバー２３とを組み付けておく。この状態で、ボディｂのブラケット２５に対して待ち受け側コネクタ２０を前方から、ガイドレール２６に被ガイド部２７を摺動させつつ組み付けることで、待ち受け側コネクタ２０がその嵌合面を上向きにした姿勢で支持される。
【００２３】
次に可動側コネクタ３０側の組み付け手順を説明すると、コネクタハウジング３１に雄端子金具３３と電線カバー３４とを組み付け、さらに可動側コネクタ３０をフレーム４６に対して下方へ相対移動させ、ムービングプレート３５のカムピン４４をレバー３８のカム溝３９の入り口にて待機させておく。この状態ではムービングプレート３５は、その上壁４１がフード部３２の奥面から所定距離（両コネクタ２０，３０の嵌合ストロークに相当する距離）だけ離間して配されるとともに、各タブ３３ａの先端部が各位置決め孔４２内に挿通されることで、水平方向について各タブ３３ａの位置決めが図られている。このときのムービングプレート３５の装着位置が初期位置となっている。この状態でモジュールｍのブラケット４８の開口部４９に対してフレーム４６を可動側コネクタ３０ごと左方から、ガイドレール５０に両被ガイド部５１を摺動させつつ組み付けることで、可動側コネクタ３０がその嵌合面を下向きにした姿勢で支持される。
【００２４】
そして、両コネクタ２０，３０を嵌合する際には、モジュールｍの被ガイド部１１をガイドレール１２の後部水平ガイド部１３に嵌合させた状態にし、この状態でモジュールｍをボディｂに向かって前方へ押し動かす。モジュールｍは、図８（ａ）に示すように待受側コネクタよりも後方の位置において後部水平ガイド部１３に沿って前方へ水平移動し、次いで、傾斜ガイド部１４に沿って斜め前上方へ移動し、その後、前部水平ガイド部１５に沿って水平移動する。そして、被ガイド部１１が前部水平ガイド部１５の前端に達したところで可動側コネクタ３０が待受側コネクタの真上に到達し（図８（ｂ）を参照）、その直後、モジュールｍがその自重により下降ガイド部１６に沿って下方へ移動する（図８（ｃ）を参照）。そして、このモジュールｍの下降に伴ない、可動側コネクタ３０が待受側コネクタに嵌合される。
【００２５】
両コネクタ２０，３０の嵌合は次にようにして行われる。図４及び図５に示す状態から可動側コネクタ３０の下降に伴ってそのフード部３２が待ち受け側コネクタ２０に対して上方から外嵌される。フード部３２が待ち受け側コネクタ２０に嵌合され始めると、ムービングプレート３５のカムピン４４の凹部４４ａ内に待ち受け側コネクタ２０のカムピン２４が嵌合して両カムピン２４，４４が合体する（図９及び図１０参照）。その後、両コネクタ２０，３０の間で嵌合抵抗が発生して可動側コネクタ３０がフレーム４６に対して相対的に上方へ変位すると、フレーム４６のカム溝４７に係合したレバー３８のカムピン４０がカム溝４７の奥側へ向けて摺動することでレバー３８が回動する。レバー３８が回動するのに伴い、カム溝３９に両カムピン２４，４４が係合しつつその奥側へ摺動することでカム作用が発揮されて、待ち受け側コネクタ２０とムービングプレート３５とが可動側コネクタ３０側に向かって上方へ引き込まれ、予め位置決めされた各雄端子金具３３のタブ３３ａが各雌端子金具２２に円滑に接触され始める。
【００２６】
そして、両コネクタ２０，３０が正規嵌合状態（図６，図７及び図１１参照）に至ると、各雄端子金具３３のタブ３３ａが各雌端子金具２２に対して正規に導通接触されるとともに、ムービングプレート３５は、その上壁４１がフード部３２の奥面と待ち受け側コネクタ２０のコネクタハウジング２１の上面とに当接して挟まれる位置（嵌合位置）まで変位し、各タブ３３ａの根元部分が各位置決め孔４２内に挿通されている。その後、両コネクタ２０，３０及びモジュールｍをボディｂに対して全体的に前方へ水平移動させる。この移動によりボディｂに対してモジュールｍが正規の組付位置に到達する。なお、両コネクタ２０，３０とモジュールｍの前方移動の際には、ボディｂのブラケット２５のガイドレール２６に沿って被ガイド部２７が摺動される。
【００２７】
一方、メンテナンスなどの事情により両コネクタ２０，３０を取り外す場合があるが、その場合は、上記嵌合時とは逆の方向にモジュールｍを動かすようにする。嵌合状態からモジュールｍが上昇するのに伴い、両コネクタ２０，３０間で発生する摩擦抵抗により可動側コネクタ３０がフレーム４６に対して下方へ変位するとともに、フレーム４６のカム溝４７に係合したレバー３８のカムピン４０が入り口側へ向けて摺動することで、レバー３８が嵌合時とは逆方向へ回動する。このレバー３８の回動に伴って、カム溝３９に両カムピン２４，４４が係合しつつその入り口側へ摺動することでカム作用が発揮されて、待ち受け側コネクタ２０とムービングプレート３５とが下方へ押し動かされ、各雄端子金具３３のタブ３３ａから各雌端子金具２２が離され始める。そして、レバー３８が嵌合前の位置まで回動して両カムピン２４，４４がカム溝３９の入り口に達したとき、レバー３８のカムピン４０がフレーム４６のカム溝４７の縁部に引っ掛かることで、待ち受け側コネクタ２０のみが可動側コネクタ３０から相対的に下方へ引き離される（図９）。このとき、ムービングプレート３５は、嵌合前と同じ初期位置まで押し出されており、各タブ３３ａの先端部が各位置決め孔４２に挿通されている。従って、メンテナンスが完了した後、再度両コネクタ２０，３０を嵌合するときには、各雄端子金具３３のタブ３３ａは、既に初期位置とされたムービングプレート３５よって水平方向について位置決めされているので、ムービングプレート３５の上下位置を調整することなく、嵌合作業を行うことができる。
【００２８】
以上説明したように本実施形態によれば、ムービングプレート３５により各雄端子金具３３のタブ３３ａを予め位置決めするようにしたから、相手の各雌端子金具２２との接続を良好に行うことができる。しかも、ムービングプレート３５がレバー３８の回動動作に連動してフード部３２内を進退するようにしたから、両コネクタ２０，３０が嵌合した状態から離脱させる際に、レバー３８が嵌合時とは逆方向へ回動するのに伴ってムービングプレート３５を嵌合前の位置まで押し出すことができるので、再度嵌合作業を行うときにムービングプレート３５の上下位置を位置合わせする必要がなく、作業性に優れる。
【００２９】
さらには、レバー３８の回動軸である支持軸３７がコネクタハウジング３１におけるレバー３８の装着面のうち、嵌合方向とほぼ直交する方向について中央からずれた位置に配されているから、例えば支持軸を、コネクタハウジングにおけるレバーの装着面のうち嵌合方向とほぼ直交する方向について中央位置に設定した場合と比較して、レバー３８の長さ寸法、すなわち支持軸３７からカムピン４０までの距離を大きく確保することが可能となっている。これにより、レバー３８を回動するのに必要な力、すなわち両コネクタ２０，３０を嵌合するのに必要な力を低減することができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、支持部であるフレームのカム溝が弧状に形成されたものを示したが、例えば嵌合方向とほぼ直交する方向、または嵌合方向に対する斜め方向に沿う直線状の溝を支持部としてもよい。
【００３１】
（２）上記した実施形態では、フレームのカム溝を支持部とし、レバーのカムピンを被支持部とした場合を示したが、逆に支持部としてフレームにカムピンを設け、被支持部としてレバーにカム溝を設けるようにしてもよい。
（３）上記した実施形態では、レバーがフレームに支持されるものを示したが、フレームを省略するとともにレバーがブラケットに支持されるようにしてもよい。その場合、ブラケットに支持部に相当するカム溝などを設ければよい。
【００３２】
（４）上記した実施形態では、モジュールを下方へ変位させるのに伴って両コネクタが嵌合されるものを示したが、例えば、モジュールを前方へ変位させるのに伴って両コネクタが嵌合されるものも本発明に含まれる。
（５）上記した実施形態では、可動側コネクタを雄側コネクタとし、待ち受け側コネクタを雌側コネクタとした場合を示したが、逆に可動側コネクタを雌側コネクタとし、待ち受け側コネクタを雄側コネクタとしてもよい。さらには、待ち受け側コネクタとした（ボディ側に固定された）雄側コネクタに対して、モジュールから外した雌側コネクタを単独で嵌合させるものも本発明に含まれる。
【図面の簡単な説明】
【図１】本発明の一実施形態に係る両コネクタの嵌合前の状態を示す斜視図
【図２】ムービングプレートとレバーとフレームの斜視図
【図３】可動側コネクタの背面図
【図４】両コネクタの嵌合前の状態を示す横断面図
【図５】両コネクタの嵌合前の状態を示す縦断面図
【図６】両コネクタが正規嵌合した状態を示す横断面図
【図７】両コネクタが正規嵌合した状態示す縦断面図
【図８】（ａ）モジュール及び可動側コネクタが待受側コネクタよりも後方に位置する状態を示す概略側面図
（ｂ）可動側コネクタが待受側コネクタの真上に位置する状態を示す概略側面図
（ｃ）モジュールの下降に伴なって可動側コネクタが待受側コネクタに嵌合した状態を示す概略側面図
【図９】可動側コネクタが待受側コネクタへの嵌合を開始した状態を示す一部切欠正面図
【図１０】可動側コネクタと待受側コネクタとの嵌合途中の状態を示す一部切欠正面図
【図１１】可動側コネクタと待受側コネクタとの嵌合が完了した状態を示す一部切欠正面図
【符号の説明】
２１…コネクタハウジング（相手のコネクタハウジング）
２２…雌端子金具
２４…カムピン
３０…可動側コネクタ（レバー式コネクタ）
３１…コネクタハウジング
３２…フード部
３３…雄端子金具
３３ａ…タブ
３５…ムービングプレート
３７…支持軸（回動軸）
３８…レバー
３９…カム溝
４０…カムピン（被支持部）
４２…位置決め孔
４４…カムピン
４６…フレーム（支持部材）
４７…カム溝（支持部）
【図１】
2004214106.tif 000003
【図２】
2004214106.tif 000004
【図３】
2004214106.tif 000005
【図４】
2004214106.tif 000006
【図５】
2004214106.tif 000007
【図６】
2004214106.tif 000008
【図７】
2004214106.tif 000009
【図８】
2004214106.tif 000010
【図９】
2004214106.tif 000011
【図１０】
2004214106.tif 000012
【図１１】
2004214106.tif 000013